(57)【要約】【課題】バリの発生が抑制されるとともに寸法精度に優れた成形品を、射出成形によって得る。【解決手段】射出成形装置５０は、下方型締め用シリンダ５２ａ、５２ｂと上方型締め用シリンダ５４ａ、５４ｂとを具備する。可動型２６と固定型１４とを当接させて下方キャビティ４０・上方キャビティ４２を形成し、さらに、下方型締め用シリンダ５２ａ、５２ｂ及び上方型締め用シリンダ５４ａ、５４ｂで型締めを行う。この際、下方型締め用シリンダ５２ａ、５２ｂと上方型締め用シリンダ５４ａ、５４ｂの中、射出重心から離間する側の型締め用シリンダの型締め力を小さくする。【選択図】図１
2009233885.tif 000002
【特許請求の範囲】
【請求項１】
固定プラテンに設けられた固定型と、前記固定プラテンに対して接近又は離間可能である可動プラテンにおける前記固定型に臨む側の端面に設けられた可動型とで形成されるキャビティに溶融樹脂を充填して成形体を作製する射出成形装置であって、
前記キャビティが形成された際に前記固定型と前記可動型とを圧着させる型締め機構を備え、
前記型締め機構は、前記固定型と前記可動型の下方を圧着させる下方型締め機構と、前記固定型と前記可動型の上方を圧着させる上方型締め機構とを有し、
前記キャビティに充填される溶融樹脂による押圧力が釣り合う位置である射出重心が、前記固定型と前記可動型との高さ方向中心である金型中心に対して下方又は上方に偏在するとき、前記下方型締め機構による型締め力と前記上方型締め機構による型締め力の中、前記射出重心から離間する方の型締め力を小さくすることを特徴とする射出成形装置。
【請求項２】
請求項１記載の射出成形装置において、複数個のキャビティが形成されることを特徴とする射出成形装置。
【請求項３】
請求項２記載の射出成形装置において、複数個のキャビティの中の少なくとも１つに溶融樹脂が充填される一方、残余のキャビティの少なくとも１つに溶融樹脂が充填されないときに前記射出重心が前記金型中心に対して偏在することを特徴とする射出成形装置。
【請求項４】
請求項２記載の射出成形装置において、複数個のキャビティの中の少なくとも１つと、残余のキャビティの少なくとも１つとで溶融樹脂の充填が個別に開始されるときに前記射出重心が前記金型中心に対して偏在することを特徴とする射出成形装置。
【発明の詳細な説明】
【技術分野】
【０００１】
本発明は、固定プラテンに設置された固定型と、前記固定型に対して接近又は離間可能な可動プラテンに設置された可動型とを有する射出成形装置に関する。
【背景技術】
【０００２】
図４は、従来から周知の射出成形装置１０（例えば、特許文献１参照）の要部概略構成図である。この射出成形装置１０は、ベースフレーム１２上に設置されて固定型１４及び注入機１６が取り付けられた固定プラテン１８と、移動シリンダ２０ａ、２０ｂの作用下にレール２２ａ、２２ｂに沿って変位する可動プラテン２４と、該可動プラテン２４における前記固定プラテン１８を臨む側の端面に取り付けられた可動型２６とを有する。
【０００３】
前記移動シリンダ２０ａ、２０ｂは固定型１４に設置されており、該移動シリンダ２０ａ、２０ｂの各ロッド２８ａ、２８ｂは可動型２６の各側面に連結されている。従って、可動型２６は、これらロッド２８ａ、２８ｂが前進・後退動作することに追従して、レール２２ａ、２２ｂに案内されながら固定型１４に対して接近又は離間する。
【０００４】
さらに、固定プラテン１８の下端部近傍には２本の下方型締め用シリンダ３０ａ、３０ｂ（型締め機構）が互いに平行に設置されており、且つ上端部近傍には２本の上方型締め用シリンダ３１ａ、３１ｂ（型締め機構）が互いに平行に設置されている。これら型締め用シリンダ３０ａ、３０ｂ、３１ａ、３１ｂの各ラム３２には、タイバー３４ａ、３４ｂ、３５ａ、３５ｂのいずれかの一端が連結されている。各タイバー３４ａ、３４ｂ、３５ａ、３５ｂの各先端には雄ねじ部３６が形成され、一方、可動プラテン２４におけるタイバー３４ａ、３４ｂ、３５ａ、３５ｂの位置に対応する位置には、ナット３８ａ、３８ｂ、３９ａ、３９ｂが設けられている。
【０００５】
以上のように構成された射出成形装置１０を用いての射出成形は、下記のようにして実施される。
【０００６】
先ず、移動シリンダ２０ａ、２０ｂを付勢してロッド２８ａ、２８ｂを図４における右方に後退動作させ、これにより可動プラテン２４を固定プラテン１８側に向かって変位させる。これに追従して可動型２６が固定型１４に向かって接近し、最終的に、図５に示すように、固定型１４と可動型２６とが当接する。
【０００７】
ここで、この射出成形装置１０では、１回の作業で２個の成形品を作製可能とするべく、下方キャビティ４０及び上方キャビティ４２が設けられる。また、図５から諒解されるように、下方キャビティ４０で形成される成形品Ｐ１と、上方キャビティ４２で形成される成形品Ｐ２の形状が互いに相違する。すなわち、この射出成形装置１０では、下方キャビティ４０、上方キャビティ４２の各々で別形状の成形品Ｐ１、Ｐ２が形成される。
【０００８】
このように下方キャビティ４０、上方キャビティ４２が形成されると同時に、各タイバー３４ａ、３４ｂ、３５ａ、３５ｂの各先端に形成された雄ねじ部３６が可動プラテン２４に設けられたナット３８ａ、３８ｂ、３９ａ、３９ｂに係合する。これにより、可動プラテン２４がタイバー３４ａ、３４ｂ、３５ａ、３５ｂを介して位置決め固定される。この状態で下方型締め用シリンダ３０ａ、３０ｂ及び上方型締め用シリンダ３１ａ、３１ｂ内の作動油の圧力が同時且つ同等に上昇され、その結果、固定型１４と可動型２６とが一層圧着されて型締めがなされる。すなわち、下方型締め用シリンダ３０ａ、３０ｂの型締め力は、上方下方型締め用シリンダ３１ａ、３１ｂの型締め力と等しい。
【０００９】
その後、注入機１６から下方キャビティ４０及び上方キャビティ４２内に溶融樹脂が射出される。所定時間が経過することに伴って溶融樹脂が冷却固化することにより、成形品Ｐ１、Ｐ２が得られるに至る。成形品Ｐ１、Ｐ２の取り出しは、可動プラテン２４を固定プラテン１８から離間するように変位させることで行われる。
【００１０】
【特許文献１】特開２００５−２０５８１９号公報
【発明の開示】
【発明が解決しようとする課題】
【００１１】
ところで、上記した射出成形装置１０においては、１回の作業で常時２個の成形品Ｐ１、Ｐ２が作製されるとは限らない。すなわち、場合によっては、下方キャビティ４０で形成される成形品Ｐ１、又は上方キャビティ４２で形成される成形品Ｐ２のいずれか１個のみが必要となる場合がある。このような場合には、必要とされる成形品を形成するキャビティにのみ溶融樹脂が充填される。すなわち、残余のキャビティには溶融樹脂は供給されない。
【００１２】
しかしながら、この場合、図６に示すように、可動型２６と固定型１４の当接面同士の上方、又は下方が若干離間することがある。すなわち、いわゆる型開きが起こってしまう。
【００１３】
溶融樹脂が、例えば、ポリプロピレン（ＰＰ）である場合、型開き量が０．２ｍｍを超えると、その箇所から溶融樹脂が漏洩してバリが発生する。このバリが成長してしまうと、型開きの度合いが一層大きくなってしまう。このような事態が生じると、溶融樹脂の充填不良が起こるために成形品Ｐ１、Ｐ２の寸法精度を確保することが困難となる。
【００１４】
型開きは、溶融樹脂の充填に伴う極端な圧力増加を回避するために下方キャビティ４０と上方キャビティ４２とで充填開始のタイミングを相違させる場合や、キャビティが１個であっても、該キャビティの位置が金型の中心から偏在している場合にも認められる。
【００１５】
以上のように、従来技術に係る射出成形装置には、型開きが生じること、及びそのことに伴ってバリが発生することを回避することが容易ではないという不具合が顕在化している。
【００１６】
本発明は上記した問題を解決するためになされたもので、バリが発生するほど顕著な型開きが生じることを回避することが可能であり、このために溶融樹脂の充填不良を回避して寸法精度が良好な成形品を容易に得ることができる射出成形装置を提供することを目的とする。
【課題を解決するための手段】
【００１７】
前記の目的を達成するために、本発明は、固定プラテンに設けられた固定型と、前記固定プラテンに対して接近又は離間可能である可動プラテンにおける前記固定型に臨む側の端面に設けられた可動型とで形成されるキャビティに溶融樹脂を充填して成形体を作製する射出成形装置であって、
前記キャビティが形成された際に前記固定型と前記可動型とを圧着させる型締め機構を備え、
前記型締め機構は、前記固定型と前記可動型の下方を圧着させる下方型締め機構と、前記固定型と前記可動型の上方を圧着させる上方型締め機構とを有し、
前記キャビティに充填される溶融樹脂による押圧力が釣り合う位置である射出重心が、前記固定型と前記可動型との高さ方向中心である金型中心に対して下方又は上方に偏在するとき、前記下方型締め機構による型締め力と前記上方型締め機構による型締め力の中、前記射出重心から離間する方の型締め力を小さくすることを特徴とする。
【００１８】
このように、射出重心を考慮して下方型締め機構による型締め力と前記上方型締め機構による型締め力を相違させることにより、射出成形時における金型の端部に作用する両圧着力が均衡するようになる。その結果、型開きが抑制され、たとえ型開きが生じたとしても、下方の型開き量と上方の型開き量とが略同等となるとともにその量が極僅かとなる。このため、成形品にバリが発生することを有効に回避することができる。
【００１９】
しかも、型開きが生じ難くなることに伴い、溶融樹脂が漏出することも抑制される。従って、溶融樹脂の充填不足が回避され、その結果、成形品の寸法精度も向上する。
【００２０】
なお、射出重心が金型中心から偏在する状況としては、例えば、複数個のキャビティが形成される場合が例示される。特に、各々のキャビティで別形状の成形品が形成される場合、射出重心が金型中心から偏在するようになることが認められることが多い。
【００２１】
又は、複数個のキャビティの中の少なくとも１つに溶融樹脂が充填される一方、残余のキャビティの少なくとも１つに溶融樹脂が充填されないときにも、射出重心が金型中心に対して偏在する。
【００２２】
射出重心が金型中心に対して偏在する別の例としては、複数個のキャビティの中の少なくとも１つと、残余のキャビティの少なくとも１つとで溶融樹脂の充填が個別に開始されるとき、すなわち、充填開始タイミングが異なるときを挙げることができる。本発明は、このように、射出重心が金型中心に対して偏在するときであれば適用可能である。
【発明の効果】
【００２３】
本発明によれば、射出重心を考慮して下方型締め機構による型締め力と前記上方型締め機構による型締め力を相違させることで、射出成形時における金型の端部に作用する両圧着力を均衡させるようにしているので、可動型と固定型とが離間する型開きを抑制することができる。また、たとえ型開きが生じたとしても、下方の型開き量と上方の型開き量とが略同等となり、しかも、その量は僅かである。このため、溶融樹脂が漏出したり溶融樹脂の充填不足が起こったりすることが抑制され、結局、成形品にバリが発生することを回避することができ、且つ寸法精度に優れた成形品を得ることができる。
【発明を実施するための最良の形態】
【００２４】
以下、本発明に係る射出成形装置につき好適な実施の形態を挙げ、添付の図面を参照して詳細に説明する。なお、図４〜図６に示される構成要素に対応する構成要素については同一の参照符号を付し、その詳細な説明を省略する。
【００２５】
本実施の形態に係る射出成形装置５０の要部概略構成図を図１に示す。この射出成形装置５０は、ベースフレーム１２上に設置されて固定型１４及び注入機１６が取り付けられた固定プラテン１８と、移動シリンダ２０ａ、２０ｂの作動下にレール２２ａ、２２ｂに沿って変位する可動プラテン２４と、該可動プラテン２４における前記固定プラテン１８を臨む側の端面に取り付けられた可動型２６とを有する。
【００２６】
この射出成形装置５０においても、移動シリンダ２０ａ、２０ｂが固定型１４に設置される一方、該移動シリンダ２０ａ、２０ｂのロッド２８ａ、２８ｂが可動型２６の各側面に連結される。そして、移動シリンダ２０ａ、２０ｂの作用下に可動型２６が二点鎖線で示される位置まで固定型１４側に向かって変位し、最終的に可動型２６と固定型１４が当接することに伴い、図５に示される下方キャビティ４０及び上方キャビティ４２が形成される。すなわち、この射出成形装置５０においても、下方キャビティ４０、上方キャビティ４２の各々で別形状の成形品Ｐ１、Ｐ２が形成される。
【００２７】
そして、この射出成形装置５０では、固定プラテン１８の下端部近傍に２本の下方型締め用シリンダ５２ａ、５２ｂ（型締め機構）が互いに平行に設置されており、且つ上端部近傍には２本の上方型締め用シリンダ５４ａ、５４ｂ（型締め機構）が互いに平行に設置されている。すなわち、この射出成形装置５０は、下端部近傍及び上端部近傍のそれぞれに設置された下方型締め用シリンダ５２ａ、５２ｂ及び上方型締め用シリンダ５４ａ、５４ｂの合計４本の型締め用シリンダを具備する。従来技術に係る射出成形装置１０においては、下方型締め用シリンダ３０ａ、３０ｂの型締め力と、上方型締め用シリンダ３１ａ、３１ｂの型締め力とを個別に制御することはなされていないが、本実施の形態においては、下方型締め用シリンダ５２ａ、５２ｂの型締め力と、上方型締め用シリンダ５４ａ、５４ｂの型締め力とを個別に制御することが可能である。
【００２８】
下方型締め用シリンダ５２ａ、５２ｂの各ラム５３ａ、５３ｂには、下方タイバー５６ａ、５６ｂの一端が連結されている。各下方タイバー５６ａ、５６ｂの先端には雄ねじ部５７が形成され、一方、可動プラテン２４における下方タイバー５６ａ、５６ｂの位置に対応する位置には、下方ナット５８ａ、５８ｂが設けられている。上方型締め用シリンダ５４ａ、５４ｂに関しても同様に、その各ラム５９ａ、５９ｂに上方タイバー６０ａ、６０ｂの一端が連結される。各上方タイバー６０ａ、６０ｂの先端にも雄ねじ部６２が形成されるとともに、可動プラテン２４における上方タイバー６０ａ、６０ｂの位置に対応する位置に上方ナット６４ａ、６４ｂが設けられる。すなわち、この射出成形装置５０は、４本のタイバー５６ａ、５６ｂ、６０ａ、６０ｂと、４個のナット５８ａ、５８ｂ、６４ａ、６４ｂを有する。
【００２９】
本実施の形態に係る射出成形装置５０は、基本的には以上のように構成されるものであり、次にその作用効果について説明する。
【００３０】
この射出成形装置５０による射出成形は、以下のように実施される。
【００３１】
はじめに、移動シリンダ２０ａ、２０ｂを付勢してロッド２８ａ、２８ｂを図１における右方に後退動作させる。これにより可動プラテン２４が固定プラテン１８側に向かって変位し、最終的に、図５に二点鎖線で示すように、固定型１４と可動型２６とが当接して下方キャビティ４０、上方キャビティ４２が形成される。
【００３２】
このように２個のキャビティ４０、４２が形成されると同時に、下方タイバー５６ａ、５６ｂ、上方タイバー６０ａ、６０ｂの先端に形成された各雄ねじ部５７、６２が可動プラテン２４に設けられた下方ナット５８ａ、５８ｂ、上方ナット６４ａ、６４ｂにそれぞれ係合する。これにより、可動プラテン２４が下方タイバー５６ａ、５６ｂ及び上方タイバー６０ａ、６０ｂを介して位置決め固定される。この状態で、下方型締め用シリンダ５２ａ、５２ｂ及び上方型締め用シリンダ５４ａ、５４ｂ内の作動油の圧力が上昇され、その結果、固定型１４と可動型２６とが一層圧着されて型締めがなされる。
【００３３】
次に、注入機１６からの溶融樹脂の射出がなされる。ここで、本実施の形態においては、下方型締め用シリンダ５２ａ、５２ｂと上方型締め用シリンダ５４ａ、５４ｂとで作動油の圧力を相違させる。すなわち、下方型締め用シリンダ５２ａ、５２ｂによる型締め力と、上方型締め用シリンダ５４ａ、５４ｂによる型締め力とを異ならせる。
【００３４】
下方型締め用シリンダ５２ａ、５２ｂによる型締め力と、上方型締め用シリンダ５４ａ、５４ｂによる型締め力とのいずれを如何なる程度大きくするかは、射出重心と金型中心との離間距離に応じて設定される。このため、先ず、射出重心が求められる。なお、「射出重心」とは、下方キャビティ４０及び上方キャビティ４２に充填される溶融樹脂による押圧力が釣り合う位置である。
【００３５】
図２に示す点Ｏは、固定型１４の高さ方向における中心位置、すなわち、金型中心である。この固定型１４において、下方キャビティ４０は点Ａから点Ｏに至るまでの間に形成され、上方キャビティ４２は点Ｂ１から点Ｂ２に至るまでの間に形成される。
【００３６】
このとき、下方キャビティ４０に充填される溶融樹脂による押圧力をＦ１、上方キャビティ４２に充填される溶融樹脂による押圧力をＦ２、両溶融樹脂による合計押圧力をＦ０とすると、点Ｏまわりのモーメントの釣り合いから、下記の式（１）が成立する。
ｈ０＝（Ｆ２×ｈ２−Ｆ１×ｈ１）／Ｆ０  …（１）
式（１）中のｈ０は、射出重心を表す。
【００３７】
Ｆ１、Ｆ２は、それぞれ、下方キャビティ４０を射出成形装置５０の中央に配置し、下方キャビティ４０のみから成形品Ｐ１を得る場合の押圧力と、上方キャビティ４２を射出成形装置５０の中央に配置し、上方キャビティ４２のみから成形品Ｐ２を得る場合の押圧力とを代入すればよい。そして、射出成形装置５０の中心と下方キャビティ４０の射出重心との距離がｈ１、射出成形装置５０の中心と上方キャビティ４２の射出重心との距離がｈ２である。
【００３８】
このようにして求められた射出重心ｈ０は、図２においては、金型中心Ｏよりも上方に偏在している。従来技術に係る均等型締め機構においては、溶融樹脂による押圧力により、射出重心ｈ０に近接する上方型締め用シリンダ５４ａ、５４ｂによる圧着力に比して、射出重心ｈ０に対してより離間する下方型締め用シリンダ５２ａ、５２ｂによる圧着力が大きくなる。換言すれば、射出重心ｈ０に近接する上方型締め用シリンダ５４ａ、５４ｂによる圧着力が小さくなり、このためにバリが発生する。この場合には、射出重心ｈ０に近い上方型締め用シリンダ５４ａ、５４ｂによる圧着力に比して、射出重心ｈ０から遠い下方型締め用シリンダ５２ａ、５２ｂによる圧着力を大きくする。
【００３９】
そして、従来技術に係る均等型締め機構の射出成形装置１０による圧着力限界値Ｆ３は、下記の式（２）に従って求められる。
Ｆ３＝型締め合力×（点Ｏから点Ｂまでの距離）／（点Ｏから点Ｂまでの距離＋ｈ０）  …（２）
【００４０】
ここで、点Ｂは金型の最下端であり、型締め合力は、下方型締めシリンダ３０ａ、３０ｂによる型締め力と、上方型締めシリンダ３１ａ、３１ｂによる型締め力との総和である。勿論、下方型締めシリンダ３０ａ、３０ｂによる型締め力は、上方型締めシリンダ３１ａ、３１ｂによる型締め力に等しい。
【００４１】
このＦ３が、固定型１４と可動型２６の上方が離間しない（型開きが生じない）溶融樹脂の押圧力の最大値と釣り合う。換言すれば、Ｆ０がＦ３を上回るように設定すると、型開きが生じてしまう。そこで、Ｆ３をＦ０以上、好ましくはＦ３がＦ０を上回るように設定する。
【００４２】
上記のように下方型締めシリンダ５２ａ、５２ｂによる型締め力と、上方型締めシリンダ５４ａ、５４ｂによる型締め力とを相違させた場合、型締め合力の重心位置が上昇する（図２に示される場合。条件が異なる場合には下降することもある）。このため、下方型締めシリンダ５２ａ、５２ｂによる圧着力と上方型締めシリンダ５４ａ、５４ｂによる圧着力との均衡が図られ、その結果、図３に示すように、型開きが起こることが抑制される。例えば、Ｆ０が４３５トンである場合、下方型締め用シリンダ５２ａ、５２ｂによる圧着力が上方型締め用シリンダ５４ａ、５４ｂによる圧着力の４２〜８８％となるようにすればよい。
【００４３】
勿論、下方型締め用シリンダ５２ａ、５２ｂの圧着力を過度に小さくすると、押圧力Ｆ１が圧着力を上回るようになるので型開きを生じてしまう。そこで、例えば、下方型締め用シリンダ５２ａ、５２ｂの圧着力を変化させつつ上方型締め用シリンダ５４ａ、５４ｂの圧着力を一定として溶融樹脂の射出を行い、押圧力Ｆ１が圧着力を下回って型開きが生じない圧着力を予め調査しておくことが好ましい。これにより、下方型締め用シリンダ５２ａ、５２ｂの圧着力を適切な範囲に設定することができる。
【００４４】
なお、仮に型開きが生じたとしても、下方型締め用シリンダ５２ａ、５２ｂによる圧着力と上方型締め用シリンダ５４ａ、５４ｂによる圧着力とが略均衡しているため下方の型開き量と上方の型開き量は略同等であり、しかも、その型開き量は極僅かである。このため、バリが生じる程の型開きが生じない。
【００４５】
以上のように、本実施の形態によれば、射出重心を考慮した上で下方型締め用シリンダ５２ａ、５２ｂ及び上方型締め用シリンダ５４ａ、５４ｂの圧着力を相違させるようにしているので、型開きを、バリが発生しない程度に抑制することができる。
【００４６】
下方キャビティ４０及び上方キャビティ４２内に溶融樹脂が充填された後、所定時間待機して溶融樹脂を冷却固化させれば、バリの発生が抑制された成形品Ｐ１、Ｐ２が得られるに至る。
【００４７】
これら成形品Ｐ１、Ｐ２は、寸法精度に優れる。上記したように型開きが生じることが抑制されるので溶融樹脂が漏洩することが回避され、このため、溶融樹脂の充填不良が起こることが回避されるからである。すなわち、本実施の形態によれば、寸法精度が良好な成形品Ｐ１、Ｐ２を得ることができる。
【００４８】
なお、この実施の形態では、射出重心ｈ０が上方型締め用シリンダ５４ａ、５４ｂに近い場合を例示して説明しているが、逆に、射出重心ｈ０が下方型締め用シリンダ５２ａ、５２ｂに近い場合には、上方型締め用シリンダ５４ａ、５４ｂの圧着力を小さくすればよい。勿論、射出重心ｈ０と金型中心とが一致する場合、下方型締め用シリンダ５２ａ、５２ｂと上方型締め用シリンダ５４ａ、５４ｂの圧着力を同等にすればよい。
【００４９】
また、上記した実施の形態においては、下方キャビティ４０・上方キャビティ４２に溶融樹脂が充填されるときの射出重心が金型中心から偏在する場合を例示して説明しているが、本発明は特にこの場合に限定されるものではなく、下方キャビティ４０又は上方キャビティ４２のいずれかにのみ溶融樹脂を充填する場合、下方キャビティ４０への充填開始タイミングと上方キャビティ４２への充填開始タイミングとを相違させる場合、キャビティが１個のみの射出成形装置５０に溶融樹脂を充填する場合等、射出重心が金型中心から偏在する場合であれば適用することができる。
【図面の簡単な説明】
【００５０】
【図１】本実施の形態に係る射出成形装置の要部概略構成図である。
【図２】金型中心、射出重心、溶融樹脂の押圧力の釣り合い位置等を模式的に示す概略説明図である。
【図３】下方と上方とで圧着力を相違させた場合の可動型と固定型の状態を示す要部概略平面図である。
【図４】一般的な射出成形装置の要部概略構成図である。
【図５】図４の射出成形装置に形成される２個のキャビティを模式的に示す概略構成図である。
【図６】図４の射出成形装置における可動型と固定型との間に型開きが生じた状態を示す要部概略平面図である。
【符号の説明】
【００５１】
１０、５０…射出成形装置                １４…固定型
１６…注入機                            １８…固定プラテン
２０ａ、２０ｂ…移動シリンダ            ２４…可動プラテン
２６…可動型
３０ａ、３０ｂ、３１ａ、３１ｂ、５２ａ、５２ｂ、５４ａ、５４ｂ…型締め用シリンダ
３４ａ、３４ｂ、３５ａ、３５ｂ、５６ａ、５６ｂ、６０ａ、６０ｂ…タイバー
４０、４２…キャビティ                  Ｐ１、Ｐ２…成形品
【図１】
2009233885.tif 000003
【図２】
2009233885.tif 000004
【図３】
2009233885.tif 000005
【図４】
2009233885.tif 000006
【図５】
2009233885.tif 000007
【図６】
2009233885.tif 000008